(57)【要約】      （修正有）【課題】コストアップを抑えつつデザイン性に優れ且つ誤動作を防止できる電子機器を提供する。【解決手段】ケーシング１に取り付けられたスピーカ１５，１６及びスイッチ７，９を覆うように、弾性を有する材質から成る板状の化粧パネル１７をケーシング１に固定し、スピーカー１５，１６に対応して多数の小孔２７ａ，２８ａから成る通音部２７，２８を化粧パネル１７に形成すると共に、スイッチ７，９に対応して溝２０〜２４で囲まれた操作部１９（１９ａ〜１９ｅ），２０（２０ａ〜２０ｃ）を化粧パネル１７に一体に形成することで、単一の化粧パネル１７が通音部２７，２８と操作部１９，２０を有するので、部品点数を減らして製造工数を減らすことができるばかりでなく、化粧パネル１７にデザイン上の統一感を与えて簡素に構成することで、化粧パネル１７のデザイン性を向上させることができる。【選択図】図１
0003133015.tif 000002
【実用新案登録請求の範囲】
【請求項１】
ケーシングと、このケーシングに取り付けられたスピーカと、前記ケーシングに設けられたスイッチとを有して構成される電子機器において、
前記スピーカ及びスイッチを覆うように、弾性を有する材質から成る板状の化粧パネルを前記ケーシングに固定し、前記スピーカーに対応して前記化粧パネルに多数の小孔から成る通音部を形成すると共に、前記スイッチに対応して前記化粧パネルに溝で囲まれた操作部を前記化粧パネルと一体に形成したことを特徴とする電子機器。
【請求項２】
前記操作部を含む前記化粧パネル全体が面一に形成されていることを特徴とする請求項１記載の電子機器。
【請求項３】
前記化粧パネルが一枚の金属板から構成されていることを特徴とする請求項１乃至２記載の電子機器。
【考案の詳細な説明】
【技術分野】
【０００１】
本発明は、音響機器等の電子機器に関するものである。
【背景技術】
【０００２】
従来、この種の電子機器としては、例えば、スピーカに対応して貫通口（本考案の通音部に相当する）が形成されると共に押釦（本考案の操作部に相当する）を露出させるための貫通孔が形成された化粧パネルで覆われるインタホンが知られている（例えば、特許文献１参照。）。そして、このようなインタホンでは、前記押釦は前記化粧パネルとは別体であり、また、前記押釦は前記化粧パネルから突出して設けられている。
【特許文献１】実公昭６２−４１６７７号公報
【考案の開示】
【考案が解決しようとする課題】
【０００３】
しかしながら、このような電子機器においては、押釦の数が少ないインタホンであれば問題となりにくいが、押釦の数が多い機器の場合、部品点数も多くなってしまうので、コストアップに繋がってしまう虞があった。また、このような電子機器では、単純に前記化粧パネルに形成された貫通孔から前記押釦が露出しているだけであるため、デザイン性に乏しいという問題もあった。更に、家屋等に設置されるインタホンであれば問題となりにくいが、可搬型或いは携帯型の機器の場合、搬送中或いは携帯中に他の物体に衝突することで、押釦が不用意に押されてしまう虞もあった。
【０００４】
本考案は以上の問題点を解決し、コストアップを抑えつつデザイン性に優れ且つ誤動作を防止できる電子機器を提供することを目的とする。
【課題を解決するための手段】
【０００５】
本考案の請求項１に記載の電子機器は、ケーシングと、このケーシングに取り付けられたスピーカと、前記ケーシングに設けられたスイッチとを有して構成される電子機器において、前記スピーカ及びスイッチを覆うように、弾性を有する材質から成る板状の化粧パネルを前記ケーシングに固定し、前記スピーカーに対応して前記化粧パネルに多数の小孔から成る通音部を形成すると共に、前記スイッチに対応して前記化粧パネルに溝で囲まれた操作部を前記化粧パネルと一体に形成したものである。
【０００６】
また、本考案の請求項２に記載の電子機器は、請求項１において、前記操作部を含む前記化粧パネル全体が面一に形成されているものである。
【０００７】
更に、本考案の請求項３に記載の電子機器は、請求項１乃至２において、前記化粧パネルが一枚の金属板から構成されているものである。
【考案の効果】
【０００８】
本考案の請求項１に記載の電子機器は、以上のように構成することにより、単一の前記化粧パネルが前記通音部と操作部を有することになるので、部品点数を減らすことができるばかりでなく、デザイン性を向上させることができる。
【０００９】
また、前記操作部を含む前記化粧パネル全体を面一に形成することで、前記操作部が常態で突出も陥没もしないので、非操作時に前記操作部が不用意に押されたり、逆に操作時に前記操作部が押し難くなったりすることを防止することができる。
【００１０】
更に、前記化粧パネルを一枚の金属板で構成することで、プレスによって前記通音部と操作部を形成できるので、容易に前記化粧パネルを製造することができる。
【考案を実施するための最良の形態】
【００１１】
以下、本考案の実施形態について、図１乃至図６に基づいて説明する。なお、本実施形態では、図１及び図２の状態を基準として、前後及び上下左右を規定する。また、本実施形態では、電子機器の一例として、携帯型の音響機器を用いて説明する。なお、この場合の音響機器とは、磁気テープ、各種光ディスク、半導体記憶素子等といった記録媒体を用いた録音再生装置、或いはラジオ等が該当するが、本実施形態では、半導体記憶素子を用いた再生装置を例にとって説明する。
【００１２】
１は携帯型の音響機器のケーシングである。このケーシング１は、透明な合成樹脂によって形成されている。また、このケーシング１の正面側のほぼ中央には、このケーシング１と一体に窓部２が突出して形成されており、この窓部２の内側に表示部３が設けられている。なお、前記表示部３としては、液晶ディスプレイや有機ＥＬ等、種々のデバイスが使用可能である。また、前記ケーシング１における前記窓部２の左右には、それぞれ右凹部４及び左凹部５が形成されている。そして、前記右凹部４には、複数の貫通孔６が形成されており、これらの貫通孔６から可動部７ａが突出するように、前記ケーシング１の内側には、それぞれスイッチ７が設けられている。同様に、前記左操作部５にも、複数の貫通孔８が形成されており、これらの貫通孔８から可動部９ａが突出するように、前記ケーシング１の内側には、それぞれスイッチ９が設けられている。また、前記右凹部４及び左凹部５には、前記スイッチ７及びスイッチ９を覆うように、それぞれ薄膜状の防水フィルム１０，１１が貼られている。なお、これらの防水フィルム１０，１１の厚さ寸法をＴｆ、前記ケーシング１の基準面１ａに対する前記各凹部４，５の深さ寸法をＤｈ、後述する化粧パネル１７を前記ケーシング１に貼り付けるための粘着シート１２の厚さ寸法をＴａ、前記各スイッチ７，９の可動部７ａ，９ａの前記各凹部４，５からの突出量をＨｓ、前記各スイッチ７，９の可動部７ａ，９ａのストローク量をＳとすると、これらの数値は以下の関係を満たす。
（１）Ｔｆ≦Ｄｈ＋Ｔａ−Ｈｓ
（２）Ｔｆ≦Ｄｈ
（３）Ｈｓ≧Ｓ
これによって、前記各凹部４，５に防水フィルム１０，１１を貼り付けても、これらの防水フィルム１０，１１の表面が前記ケーシング１の基準面１ａよりも低くなる。また、後述する化粧パネル１７を前記ケーシング１に貼り付けることで、前記各スイッチ７，９の可動部７ａ，９ａが、前記化粧パネル１７に形成された後述する操作部１９，２０に自然状態で押されることがない。更に、前記右凹部４の右側には、右スピーカ孔１３が形成されていると共に、前記左凹部５の左側にも、左スピーカ孔１４が形成されている。そして、前記右スピーカ孔１３には、防水型のスピーカ１５が取り付けられていると共に、前記左スピーカ孔１４にも、防水型のスピーカ１６が取り付けられている。なお、前記各スピーカ１５，１６の縁と前記ケーシング１の内面との間は、水密に密着している。
【００１３】
前記ケーシング１の正面には、化粧パネル１７が貼り付けられている。この化粧パネル１７は、アルミニウム等の板によって構成されている。そして、この化粧パネル１７のほぼ中央には、前記窓部２に対応して、窓孔１８が形成されている。なお、前記窓部２は、前記ケーシング１の基準面１ａに対する高さＨｗが、前記化粧パネル１７の厚さＴｐとこの化粧パネル１７を前記ケーシング１に貼り付けるための前記粘着シート１２の厚さＴａの和とほぼ等しく構成されている（Ｈｗ≒Ｔｐ＋Ｔａ）。これによって、前記化粧パネル１７を前記ケーシング１に貼り付けた際に、前記窓部２の表面が前記化粧パネル１７の表面とほぼ面一になる。また、前記窓孔１８の左右には、それぞれ前記スイッチ７及びスイッチ９に対応する右操作部１９及び左操作部２０が形成されている。これらの操作部１９，２０は、一部を除いて周囲が溝２１，２２，２３，２４によって囲まれるように構成されている。詳述すると、前記溝２１は、図３に示すように、水平溝部２１ａ，２１ｅ，２１ｉ，２１ｍと、垂直溝部２１ｃ，２１ｇ，２１ｋと、これらの水平溝部２１ａ，２１ｅ，２１ｉ，２１ｍと垂直溝部２１ｃ，２１ｇ，２１ｋを滑らかに繋ぐ曲溝部２１ｂ，２１ｄ，２１ｆ，２１ｈ，２１ｊ，２１ｌとで構成されている。また、前記溝２２は、図３に示すように、垂直溝部２２ａ，２２ｅ，２２ｉ，２２ｍ，２２ｑと、水平溝部２２ｃ，２２ｇ，２２ｋ，２２ｏと、これらの垂直溝部２２ａ，２２ｅ，２２ｉ，２２ｍ，２２ｑと水平溝部２２ｃ，２２ｇ，２２ｋ，２２ｏとを滑らかに繋ぐ曲溝部２２ｂ，２２ｄ，２２ｆ，２２ｈ，２２ｊ，２２ｌ，２２ｎ，２２ｐとで構成されている。また、前記溝２３は、図４に示すように、垂直溝部２３ａ，２３ｅ，２３ｉ，２３ｍ，２３ｑと、水平溝部２３ｃ，２３ｇ，２３ｋ，２３ｏと、これらの垂直溝部２３ａ，２３ｅ，２３ｉ，２３ｍ，２３ｑと水平溝部２３ｃ，２３ｇ，２３ｋ，２３ｏとを滑らかに繋ぐ曲溝部２３ｂ，２３ｄ，２３ｆ，２３ｈ，２３ｊ，２３ｌ，２３ｎ，２３ｐとで構成されている。また、前記溝２４は、前記溝２３の曲溝部２３ｆと２３ｌの間で垂直方向に形成されている。そして、前記右操作部１９の第一操作部１９ａは、前記溝２１の水平溝部２１ａから水平溝部２１ｅにかけての部分及び前記溝２２の垂直溝部２２ｅによって囲まれており、前記溝２１の水平溝部２１ａの左端と前記溝２２の曲溝部２２ｄの間に形成された接続部２５ａ、及び前記溝２１の曲溝部２１ｆと前記溝２２の曲溝部２２ｆの間に形成された接続部２５ｂによって、前記第一操作部１９ａの周囲の部分と接続されている。また、前記右操作部１９の第二操作部１９ｂは、前記溝２１の水平溝部２１ｉから水平溝部２１ｍにかけての部分及び前記溝２２の垂直溝部２２ｍによって囲まれており、前記溝２１の曲溝部２１ｈと前記溝２２の曲溝部２２ｌの間に形成された接続部２５ｃ、及び前記溝２１の水平溝部２１ｍの左端と前記溝２２の曲溝部２２ｎの間に形成された接続部２５ｄによって、前記第二操作部１９ｂの周囲の部分と接続されている。また、前記右操作部１９の第三操作部１９ｃは、前記溝２２の垂直溝部２２ａから水平溝部２２ｇにかけての部分によって囲まれており、前記垂直溝部２２ａの下端と前記曲溝部２２ｈの間に形成された接続部２５ｅによって、前記第三操作部１９ｃの周囲の部分と接続されている。また、前記右操作部１９の第四操作部１９ｄは、前記溝２２の水平溝部２２ｇから水平溝部２２ｋにかけての部分及び前記溝２１の垂直溝部２１ｇによって囲まれており、前記接続部２５ｂ及び接続部２５ｃによって、前記第四操作部１９ｄの周囲の部分と接続されている。更に、前記右操作部１９の第五操作部１９ｅは、前記溝２２の水平溝部２２ｋから垂直溝部２２ｑにかけての部分によって囲まれており、前記垂直溝部２２ｑの上端と前記曲溝部２２ｊの間に形成された接続部２５ｆによって、前記第五操作部１９ｅの周囲の部分と接続されている。一方、前記左操作部２０の第一操作部２０ａは、前記溝２３の垂直溝部２３ａから水平溝部２３ｇにかけての部分によって囲まれており、前記垂直溝部２３ａの下端と前記曲溝部２３ｈの間に形成された接続部２６ａによって、前記第一操作部２０ａの周囲の部分と接続されている。また、前記左操作部２０の第二操作部２０ｂは、前記溝２３の水平溝部２３ｇから水平溝部２３ｋにかけての部分及び前記溝２４によって囲まれており、前記曲溝部２３ｆと前記溝２４の上端との間に形成された接続部２６ｂ、及び前記曲溝部２３ｌと前記溝２４の下端との間に形成された接続部２６ｃによって、前記第二捜査部２０ｂの周囲の部分と接続されている。更に、前記左操作部２０の第三操作部２０ｃは、前記溝２３の水平溝部２３ｋから垂直溝部２３ｑにかけての部分によって囲まれており、前記垂直溝部２３ｑの上端と前記曲溝部２３ｊの間に形成された接続部２６ｄによって、前記第三操作部２０ｃ以外の部分と接続されている。このようにして、前記右操作部１９の各操作部１９ａ〜１９ｅは、前記各接続部２５ａ〜２５ｆを介して、前記化粧パネル１７における前記右操作部１９の周囲の部分、或いは隣接する他の操作部１９ａ、１９ｂ、１９ｅによって支えられている。同様に、前記左操作部２０の各操作部２０ａ〜２０ｃは、前記各接続部２６ａ〜２６ｄを介して、前記化粧パネル１７における前記左操作部２０の周囲の部分によって支えられている。なお、前記各接続部２５ａ〜２５ｆ，２６ａ〜２６ｄは、弾性的に撓むことができるように構成されている。更に、前記右操作部１９の右側には、前記右スピーカ１５に対応して右通音部２７が形成されていると共に、前記左操作部２０の左側には、前記左スピーカ１６に対応して左通音部２８が形成されている。なお、これらの各通音部２７，２８は、それぞれ多数の小孔２７ａ、２８ａによって構成されている。
【００１４】
このように、一枚の前記化粧パネル１７に前記各操作部１９，２０及び各通音部２７，２８を設けたことで、部品点数を減少させることができるので、組立工数を削減することができる。また、前記化粧パネル１７における前記各操作部１９，２０と各通音部２７，２８の周辺とその他の部分が同一素材で且つ一体となり、デザイン上の統一感を与えることができると共に、継ぎ目や段差、凹凸を設けずに簡素に構成することができるので、デザイン性を向上させることができる。更に、前記化粧パネル１７を一枚の金属板で構成することで、プレスによって、前記化粧パネル１７に前記窓孔１８、各操作部１９，２０及び各通音部２７，２８を形成できるので、容易に前記化粧パネル１７を製造することができる。
【００１５】
次に、本実施形態の作用について説明する。まず使用者は、前記音響機器に、音楽データが記録された着脱自在な半導体記憶素子を装着したり、前記音響機器に内蔵された半導体記憶素子に音楽データを転送したりすることで、前記音響機器が音楽データを再生可能な状態とする。そして、このように音楽データが再生可能な状態となった前記音響機器の右操作部１９或いは左操作部２０を操作することで、音楽を再生させたり停止させたり、或いは再生する音楽を選択したり音量を調節したりすることができる。そして、再生された音楽は、前記各スピーカ１４，１５によって空気の振動、即ち音に変換され、この音が前記通音部２６，２７を通して使用者の耳に届くことで、使用者が音楽を聴くことができる。なお、前述したように、前記右凹部４及び左凹部５において、前記各貫通孔６，８及び各スイッチ７，９が外側から前記防水フィルム１０，１１によって覆われているため、前記各貫通孔６，８から前記ケーシング１内に水が侵入することが防止され、また、前記各スピーカ１５，１６自体が防水型であると共に、これらの縁と前記ケーシング１の内面との間が水密に密着しているため、前記各スピーカ孔１３，１４から前記ケーシング１内に水が侵入することが防止される。このため、前記音響機器は、浴室等でも使用可能である。また、前記各操作部１９，２０が前記化粧パネル１７全体と面一になっていることで、常態で突出も陥没もしないので、非操作時に前記各操作部１９，２０が不用意に押されたり、逆に、操作時に前記各操作部１９，２０が押し難くなったりすることを防止することができる。
【００１６】
前記右操作部１９及び左操作部２０の操作について詳述する。使用者が前記各操作部１９ａ〜１９ｅ，２０ａ〜２０ｃを指で押すことで、前記各接続部２５ａ〜２５ｆ，２６ａ〜２６ｄが弾性的に撓んで前記各操作部１９ａ〜１９ｅ，２０ａ〜２０ｃが押し込まれ、これらの押し込まれた各操作部１９ａ〜１９ｅ，２０ａ〜２０ｃによって、前記スイッチ７，９の可動部７ａ，９ａが押されることになる。また、使用者が前記各操作部１９ａ〜１９ｅ，２０ａ〜２０ｃから指を離すと、弾性的に撓んでいた前記各操作部１９ａ〜１９ｅ，２０ａ〜２０ｃが弾性力によって復元し、前記各操作部１９ａ〜１９ｅ，２０ａ〜２０ｃが前記化粧パネル１７と面一の位置まで戻る。
【００１７】
以上のように本考案の電子機器としての携帯型音響機器は、ケーシング１に取り付けられたスピーカ１５，１６及びスイッチ７，９を覆うように、弾性を有する材質から成る板状の化粧パネル１７を前記ケーシング１に固定し、前記スピーカー１５，１６に対応して多数の小孔２７ａ，２８ａから成る通音部２７，２８を前記化粧パネル１７に形成すると共に、前記スイッチ７，９に対応して溝２０〜２４で囲まれた操作部１９（１９ａ〜１９ｅ），２０（２０ａ〜２０ｃ）を前記化粧パネル１７に一体に形成することで、単一の前記化粧パネル１７が前記通音部２７，２８と操作部１９，２０を有することになるので、部品点数を減らして製造工数を減らすことができるばかりでなく、前記化粧パネル１７にデザイン上の統一感を与えて簡素に構成することができるので、前記化粧パネル１７のデザイン性を向上させることができるものである。
【００１８】
また、前記操作部１９，２０を含む前記化粧パネル１７全体を面一に形成することで、前記操作部１９，２０が常態で突出も陥没もしないので、非操作時に前記操作部１９，２０が不用意に押されたり、逆に操作時に前記操作部１９，２０が押し難くなったりすることを防止することができるものである。
【００１９】
更に、前記化粧パネル１７を一枚の金属板で構成することで、プレスによって前記通音部２７，２８と操作部１９，２０を形成できるので、容易に前記化粧パネル１７を製造することができるものである。
【００２０】
なお、本考案は以上の実施形態に限定されるものではなく、考案の要旨の範囲内で種々の変形実施が可能である。例えば、上記実施形態では、電子機器として音響機器を用いて説明したが、要はスピーカと操作部とこれらを覆う化粧カバーがあれば良いので、音響機器以外の電子機器に適用しても良い。
【図面の簡単な説明】
【００２１】
【図１】本考案の一実施形態を示す電子機器の正面図である。
【図２】同上、化粧パネルを取り外した状態の電子機器の正面図である。
【図３】同上、右操作部の拡大図である。
【図４】同上、左操作部の拡大図である。
【図５】同上、Ｘ−Ｘ拡大断面図である。
【図６】同上、Ｙ−Ｙ拡大断面図である。
【符号の説明】
【００２２】
１  ケーシング
７，９  スイッチ
１５  右スピーカ（スピーカ）
１６  左スピーカ（スピーカ）
１７  化粧パネル
１９  右操作部（操作部）
１９ａ  第一操作部（操作部）
１９ｂ  第二操作部（操作部）
１９ｃ  第三操作部（操作部）
１９ｄ  第四操作部（操作部）
１９ｅ  第五操作部（操作部）
２０  左操作部（操作部）
２０ａ  第一操作部（操作部）
２０ｂ  第二操作部（操作部）
２０ｃ  第三操作部（操作部）
２１，２２，２３，２４  溝
２７  右通音部（通音部）
２８  左通音部（通音部）
２７ａ、２８ａ  小孔
【図１】
0003133015.tif 000003
【図２】
0003133015.tif 000004
【図３】
0003133015.tif 000005
【図４】
0003133015.tif 000006
【図５】
0003133015.tif 000007
【図６】
0003133015.tif 000008